【手続補正書】
【提出日】平成16年3月12日(2004.3.12)
【手続補正１】
【補正対象書類名】特許請求の範囲
【補正対象項目名】全文
【補正方法】変更
【補正の内容】
【特許請求の範囲】
【請求項１】
管を収容する曲線溝と、管を曲線溝に固定するために曲線溝に設けられる接着剤とを有する支持部材からなることを特徴とする、流体輸送のための管装置。
【請求項２】
支持部材の曲線溝に設けられる可撓管を有する、請求項１の管装置。
【請求項３】
支持部材に、管装置を吊り下げるための穴が形成される、請求項２の管装置。
【請求項４】
曲線溝が、Ｕ字形曲がり部、直角曲がり部および直線部の少なくともいずれか一つからなる、請求項２の管装置。
【請求項５】
管の内部に接着剤が存在しない、請求項２の管装置。
【請求項６】
曲線溝が略半円断面形状を有する、請求項２の管装置。
【請求項７】
曲線溝が半円より大きい円弧状断面形状を有する、請求項２の管装置。
【請求項８】
半円より大きい円弧状断面形状を有する曲線溝によって、管が該曲線溝に保持される、請求項７の管装置。
【請求項９】
管を曲線溝に挿入するための開口が、該管の外径より小さいものとして、該曲線溝に形成される、請求項８の管装置。
【請求項１０】
管の外径が曲線溝の内径と略同一である、請求項２の管装置。
【請求項１１】
曲線溝が、管装置の吊り下げ方向に対して略直交する方向に延びた両脚部を有するＵ字形に形成され、管装置に重力が作用してＵ字形からＶ字形に変形することを防止する、請求項２の管装置。
【請求項１２】
曲線溝が第１の曲線溝であり、支持部材が第２の曲線溝であって、第２の曲線溝が第１の曲線溝に隣接して支持部材の内部に設けられる、請求項１の管装置。
【請求項１３】
支持部材からなる流体輸送用管装置であって、支持部材は、管を収容するための曲線溝を第１の曲線溝として有するとともに、第１の曲線溝に隣接して支持部材の内部に設けられる第２の曲線溝を有し、第２の曲線溝は第１の曲線溝の断面より小さな径を有しており、さらに、管を溝に固定するための接着剤が溝内に設けられることを特徴とする、流体輸送用管装置。
【請求項１４】
第１および第２の可撓管を有し、第１の可撓管が第１の曲線溝に設けられ、第２の可撓管が第２の曲線溝に設けられる、請求項１３の管装置。
【請求項１５】
管を収容する曲線溝と、管を曲線溝に保持する手段とを有する管支持体からなることを特徴とする、医療分野で用いられる管装置。
【請求項１６】
管保持手段が接着剤である、請求項１５の管装置。   
【請求項１７】
曲線溝が略半円断面形状を有する、請求項１５の管装置。
【請求項１８】
曲線溝が半円より大きい円弧状断面形状を有する、請求項１５の管装置。
【請求項１９】
管保持手段が半円より大きい円弧状断面形状を有する、請求項１８の管装置。
【請求項２０】
医療分野で用いられる管支持体よりなる管装置であって、管支持体が、第１の部分と第２の部分とを有し、これら第１の部分と第２の部分がヒンジで連結されていて、管を収容するための曲線溝を有するとともに、管を曲線溝に保持するための手段を有することを特徴とする管装置。
【請求項２１】
管支持体の第１の部分と第２の部分の各々が溝を有する、請求項２０の管装置。
【請求項２２】
第１の部分における溝と第２の部分における溝が互いに整列する形状とされ、それらの間に管を保持する、請求項２１の管装置。
【請求項２３】
第１の部分における溝と第２の部分における溝が互いに整列したときに円筒形の通路を形成する、請求項２２の管装置。
【請求項２４】
第１の部分における溝と第２の部分における溝が各々半円断面形状を有する、請求項２３の管装置。
【請求項２５】
第１の部分における溝が半円より大きな円弧状断面形状を有し、第２の部分における溝が半円より小さな円弧状断面形状を有する、請求項２３の管装置。
【請求項２６】
曲線溝が第１の曲線溝であり、管支持体が第２の曲線溝であって、第２の曲線溝が第１の曲線溝に隣接して管支持体の内部に設けられる、請求項１５の管装置。
【請求項２７】
第２の曲線溝が第１の曲線溝の断面より小さな径を有する、請求項２６の管装置。
【請求項２８】
第１および第２の可撓管を有し、第１の可撓管が第１の曲線溝に設けられ、第２の可撓管が第２の曲線溝に設けられる、請求項２７の管装置。
【請求項２９】
第１の曲線溝の外周が第２の曲線溝の外周にオーバーラップしている、請求項２７の管装置。
【請求項３０】
管支持体の第１および第２の曲線溝の間の境界に、これら第１および第２の曲線溝をつなぐスロットが設けられる、請求項２７の管装置。
【請求項３１】
前記曲線溝とは管支持体の反対側にもう一つの曲線溝が設けられる、請求項１５の管装置。
【請求項３２】
管装置を吊り下げるための穴が管支持体に設けられる、請求項１５の管装置。
【請求項３３】
管支持体が対向面と周縁とからなり、曲線溝が周縁の少なくとも一部に沿って設けられた樋からなる、請求項１５の管装置。
【請求項３４】
管支持体を軽量化するための穴が形成されている、請求項１５の管装置。
【請求項３５】
管を収容する曲線溝と、管を曲線溝に保持する構造体とを有する管支持体からなることを特徴とする、体液輸送用管装置。
【請求項３６】
曲線溝内に配設される可撓管をさらに有する、請求項３５の管装置。
【請求項３７】
内面に接着剤を有していない単一のワンピース型可撓管を準備するとともに、流れを狭める領域を持たないような形状に成形された可撓管のための支持装置を準備し、可撓管を介して流体を輸送することを特徴とする、医学的用途に用いられる流体輸送方法。
【請求項３８】
可撓管を支持する支持構造体であって、支持構造体に支持された可撓管が荷重を受けたときに該可撓管によりが生ずることを実質的に防止するような形状を有する支持構造体よりなることを特徴とする、耐キンキング性の管装置。
【請求項３９】
可撓管を支持する支持構造体であって、支持構造体に支持された可撓管が荷重を受けたときに該可撓管によりが生ずることを実質的に防止し、且つ、可撓管が支持構造体内において位置調整可能であるような形状を有する支持構造体よりなることを特徴とする、耐キンキング性の管装置。
【請求項４０】
可撓管を支持する支持構造体であって、支持構造体に支持された可撓管が荷重を受けたときに該可撓管によりが生ずることを実質的に防止する耐キンキング性を有するような形状を有する支持構造体よりなることを特徴とする、耐キンキング性の管装置。
【請求項４１】
可撓管を支持する支持構造体であって、支持構造体に支持された可撓管が荷重を受けたときに該可撓管によりが生ずることを実質的に防止する耐キンキング性を有し、且つ、可撓管が支持構造体内において位置調整可能であるような形状を有する支持構造体よりなることを特徴とする、耐キンキング性の管装置。
【請求項４２】
耐荷重性を有することを特徴とする耐キンキング性の管装置。
【請求項４３】
耐荷重性を有することを特徴とする調整可能な耐キンキング性の管装置。
【請求項４４】
生物体液濾過システムであって、
血液容器と、
入口と出口とを有し、これらの間に濾過媒体が配置され、血液容器の下流に設けられる白血球放出装置と、
血液容器と白血球放出装置の入口との間にこれらと液通可能に設けられる第１の管路と、
白血球放出装置の下流に設けられる血液収容用容器と、
白血球放出装置の出口を血液収容用容器に液通させる第２の管路と、
血液容器と血液収容用容器との間にこれらと液通可能に設けられるバイパスラインと、を有して構成され、
バイパスラインは、血液容器の上方の十分に高い位置に形成されるループを有していて、白血球放出装置に液体が通入することを防止しており、
バイパスラインのループは管支持装置内に形成され、管支持装置は、バイパスラインを実質的にねじることなく生物体液濾過システムの略全重量を支持できるような形状を有することを特徴とする、生物体液濾過システム。
【請求項４５】
バイパスラインが血液容器の頂部に連結される、請求項４４の濾過システム。
【請求項４６】
バイパスラインが血液容器の底部に連結される、請求項４４の濾過システム。
【請求項４７】
管支持装置が、管を収容するための曲線溝と、管を曲線溝に保持するための手段とを有する筒支持体よりなる、請求項４４の濾過システム。
【請求項４８】
管支持装置が、管を収容するための曲線溝と、管を曲線溝に保持する構造体とを有する筒支持体よりなる、請求項４４の濾過システム。
【請求項４９】
支持部材からなる耐キンキング性の管装置であって、支持部材は、管を保持するための少なくとも２つの溝を有するとともに、支持部材に保持された管を実質的に変形させることなく管装置の重量を支持する構造を有することを特徴とする管装置。
【請求項５０】
少なくとも２つの溝が実質的に平行に設けられる、請求項４９の管装置。
【請求項５１】
支持部材が実質的に方形である、請求項５０の管装置。
【請求項５２】
支持構造が、支持部材を貫通する穴である、請求項５１の管装置。
【請求項５３】
支持構造を貫通する穴が少なくとも２つの溝に対して略直交する、請求項５１の管装置。
【請求項５４】
支持部材が少なくとも２つの溝の間に曲がり部を有する、請求項５０の管装置。
【請求項５５】
支持構造が支持部材の曲がり部である、請求項５４の管装置。
【請求項５６】
支持部材が、それによって支えている管装置の重量が作用したときにも、支持部材に保持されている管の変形を防止するような形状に形成されている、請求項４９の管装置。
【請求項５７】
支持部材が可撓性を有する、請求項４９の管装置。
【請求項５８】
支持部材が実質的に剛体である、請求項４９の管装置。
【請求項５９】
管を収容する曲線溝と、管を曲線溝に固定するために曲線溝に設けられる接着剤とを有する支持部材からなることを特徴とする、流体輸送のための管装置。
【請求項６０】
支持部材の曲線溝に設けられる可撓管を有する、請求項５９の管装置。
【請求項６１】
支持部材に、管装置を吊り下げるための穴が形成される、請求項６０の管装置。
【請求項６２】
曲線溝が、Ｕ字形曲がり部、直角曲がり部および直線部の少なくともいずれか一つからなる、請求項６０の管装置。
【請求項６３】
管の内部に接着剤が存在しない、請求項６０の管装置。
【請求項６４】
曲線溝が略半円断面形状を有する、請求項６０の管装置。
【請求項６５】
曲線溝が半円より大きい円弧状断面形状を有する、請求項６０の管装置。
【請求項６６】
半円より大きい円弧状断面形状を有する曲線溝によって、管が該曲線溝に保持される、請求項６５の管装置。
【請求項６７】
管を曲線溝に挿入するための開口が、該管の外径より小さいものとして、該曲線溝に形成される、請求項６５の管装置。
【請求項６８】
管の外径が曲線溝の内径と略同一である、請求項６０の管装置。
【請求項６９】
曲線溝が、管装置の吊り下げ方向に対して略直交する方向に延びた両脚部を有するＵ字形に形成され、管装置に重力が作用してＵ字形からＶ字形に変形することを防止する、請求項６０の管装置。
【請求項７０】
曲線溝が第１の曲線溝であり、支持部材が第２の曲線溝であって、第２の曲線溝が第１の曲線溝に隣接して支持部材の内部に設けられる、請求項５９の管装置。
【請求項７１】
管を収容する曲線溝と、管を曲線溝に保持するための手段とを有することを特徴とする、医療分野で用いられる耐荷重性の管装置。
【請求項７２】
管保持手段が接着剤である、請求項７１の管装置。
【請求項７３】
曲線溝が略半円断面形状を有する、請求項７１の管装置。
【請求項７４】
曲線溝が半円より大きい円弧状断面形状を有する、請求項７１の管装置。
【請求項７５】
管保持手段が半円より大きい円弧状断面形状を有する、請求項７４の管装置。
【請求項７６】
管を収容する曲線溝と、管を曲線溝に保持する構造体とを有する管支持体からなることを特徴とする、耐荷重性の体液輸送用管装置。
【請求項７７】
曲線溝内に配設される可撓管をさらに有する、請求項７６の管装置。
【請求項７８】
内面に接着剤を有していない単一のワンピース型可撓管を準備するとともに、流れを狭める領域を持たないような形状に成形された可撓管のための耐荷重性の支持装置を準備し、可撓管を介して流体を輸送することを特徴とする、医学的適用のための流体輸送方法。
【請求項７９】
可撓管を支持する支持構造体であって、支持構造体に支持された可撓管が荷重を受けたときに該可撓管によりが生ずることを実質的に防止するような形状を有する支持構造体よりなることを特徴とする、耐荷重性且つ耐キンキング性の管装置。
【請求項８０】
可撓管を支持する支持構造体であって、支持構造体に支持された可撓管が荷重を受けたときに該可撓管によりが生ずることを実質的に防止し、且つ、可撓管が支持構造体内において位置調整可能であるような形状を有する支持構造体よりなることを特徴とする、耐キンキング性且つ耐荷重性の管装置。
【請求項８１】
可撓管を支持する支持構造体であって、支持構造体に支持された可撓管が荷重を受けたときに該可撓管によりが生ずることを実質的に防止する耐キンキング性を有するような形状を有する支持構造体よりなることを特徴とする、耐キンキング性且つ耐荷重性の管装置。
【請求項８２】
可撓管を支持する支持構造体であって、支持構造体に支持された可撓管が荷重を受けたときに該可撓管によりが生ずることを実質的に防止する耐キンキング性を有し、且つ、可撓管が支持構造体内において位置調整可能であるような形状を有する支持構造体よりなることを特徴とする、耐キンキング性且つ耐荷重性の管装置。
【請求項８３】
耐荷重性を有する耐キンキング性の管装置。
【請求項８４】
支持部材からなる耐キンキング性の管装置であって、支持部材は、管を保持するための少なくとも２つの溝を有するとともに、支持部材に保持された管を実質的に変形させることなく管装置の重量を支持する構造を有することを特徴とする管装置。
【請求項８５】
少なくとも２つの溝が実質的に平行に設けられる、請求項８４の管装置。
【請求項８６】
支持部材が実質的に方形である、請求項８５の管装置。
【請求項８７】
支持構造が、支持部材を貫通する穴である、請求項８６の管装置。
【請求項８８】
支持構造を貫通する穴が少なくとも２つの溝に対して略直交する、請求項８６の管装置。
【請求項８９】
支持部材が少なくとも２つの溝の間に曲がり部を有する、請求項８５の管装置。
【請求項９０】
支持構造が支持部材の曲がり部である、請求項８９の管装置。
【請求項９１】
支持部材が、それによって支えている管装置の重量が作用したときにも、支持部材に保持されている管の変形を防止するような形状に形成されている、請求項８４の管装置。
【請求項９２】
支持部材が実質的に剛体である、請求項８４の管装置。